【手続補正書】
【提出日】平成19年10月29日(2007.10.29)
【手続補正１】
【補正対象書類名】特許請求の範囲
【補正対象項目名】全文
【補正方法】変更
【補正の内容】
【特許請求の範囲】
【請求項１】
第１光及び第２光を出射するバックライト組立体と、
前記第１及び第２光の提供を受け第１及び第２画像を表示する表示パネルユニットと、
前記バックライト組立体と前記表示パネルユニットの少なくとも一部との間の間隔を調節する調節部材と、
を含む表示装置。
【請求項２】
前記表示パネルユニットは、
前記バックライト組立体の一側に配置され、前記バックライト組立体から出射した前記第１光の提供を受け前記第１画像を表示する第１表示パネルと、
前記バックライト組立体の他側に配置され、前記バックライト組立体から出射した前記第２光の提供を受け前記第２画像を表示する第２表示パネルと、を含むことを特徴とする請求項１記載の表示装置。
【請求項３】
前記第１及び第２表示パネルを収納し、底板を有する収納容器をさらに含むことを特徴とする請求項２記載の表示装置。
【請求項４】
前記調節部材は、前記底板から前記第１表示パネルまでの間隔を調節することを特徴とする請求項３記載の表示装置。
【請求項５】
前記収納容器は、
前記第１表示パネルを収納する第１収納空間と、
前記第２表示パネルを収納する第２収納空間と、を含むことを特徴とする請求項３記載の表示装置。
【請求項６】
前記調節部材は、前記第１収納空間に配置されて前記第１表示パネルを支持するモールドフレームであることを特徴とする請求項５記載の表示装置。 
【請求項７】
前記モールドフレームは、
前記第１表示パネルを支持し、第１厚さを有する支持部と、
前記支持部から延長し前記第１表示パネルを収納する空間を提供する側壁と、を含むことを特徴とする請求項６記載の表示装置。
【請求項８】
前記間隔は、前記第１厚さを調節することによって変化させることができることを特徴とする請求項７記載の表示装置。
【請求項９】
前記モールドフレームは、前記支持部上に配置され前記第１表示パネルと結合し第２厚さを有するテープパネルをさらに含むことを特徴とする請求項７記載の表示装置。
【請求項１０】
前記間隔は、前記第１厚さ及び前記第２厚さを調節することによって変化させることができることを特徴とする請求項９記載の表示装置。
【請求項１１】
前記調節部材は、前記収納容器上に配置され、前記第１表示パネルと前記収納容器とを結合するテープパネルであることを特徴とする請求項３記載の表示装置。
【請求項１２】
前記テープパネルは、
第３厚さを有する第１サブテープパネルと、
前記第１サブテープパネル上に積層され、第４厚さを有する間隔層と、
前記間隔層上に積層され、第５厚さを有する第２サブテープパネルと、を含むことを特徴とする請求項１１記載の表示装置。
【請求項１３】
前記間隔は、前記第３厚さ、前記第４厚さ及び前記第５厚さのうち、少なくとも一つを調節することによって変化させることができることを特徴とする請求項１２記載の表示装置。
【請求項１４】
前記間隔層は、ポリエチレン・テレフタレートを含むことを特徴とする請求項１２記載の表示装置。
【請求項１５】
前記調節部材は、前記収納容器の前記底板上に形成され前記第１表示パネルを支持する突出部であることを特徴とする請求項３記載の表示装置。
【請求項１６】
前記突出部は、前記底板と一体に形成されることを特徴とする請求項１５記載の表示装置。
【請求項１７】
前記突出部の一側は前記底板に接合され、前記突出部の他側が前記底板と離れるように形成されていることを特徴とする請求項１５記載の表示装置。 
【請求項１８】
前記間隔は、前記突出部の高さを調節することによって変化させることができることを特徴とする請求項１５記載の表示装置。 
【請求項１９】
前記第１表示パネルと前記突出部とは、第６厚さを有するテープパネルによって結合されることを特徴とする請求項１５記載の表示装置。
【請求項２０】
前記間隔は、前記突出部の高さ及び前記第６厚さを調節することによって変化させることができることを特徴とする請求項１９記載の表示装置。
【請求項２１】
前記バックライト組立体は、
光を発生する発光ダイオードと、
前記発光ダイオードから入射する前記光をガイドしてそれぞれ前記第１及び第２光を出射する導光板と、を含むことを特徴とする請求項１記載の表示装置。
【請求項２２】
前記バックライト組立体は、前記第１光が出射される前記導光板の一側に配置され、前記第１光の一部を透過し、前記第１光の一部を前記導光板の方向に反射する反射透過シートをさらに含むことを特徴とする請求項２１記載の表示装置。
【請求項２３】
前記反射透過シートは、前記第１光の５０％以下を透過することを特徴とする請求項２２記載の表示装置。
【請求項２４】
前記導光板は、前記第１光を出射する第１導光板と、前記第２光を出射する第２導光板と、を含むことを特徴とする請求項２１記載の表示装置。
【請求項２５】
前記バックライト組立体は、前記第１導光板と前記第２導光板との間に反射板をさらに含むことを特徴とする請求項２４記載の表示装置。
【請求項２６】
前記第１及び第２表示パネルのそれぞれは、
マトリックス状に配置された画素電極と、前記画素電極に駆動電圧を印加する薄膜トランジスタとを含む薄膜トランジスタ基板と、
前記画素電極と対向して配置されたカラーフィルターと、カラーフィルター上に形成された共通電極とを含むカラーフィルター基板と、
前記薄膜トランジスタ基板と前記カラーフィルター基板との間に介在した液晶層と、を含むことを特徴とする請求項２記載の表示装置。
【請求項２７】
第１光及び第２光を出射するバックライト組立体と、
前記バックライト組立体の一側に配置され、前記バックライト組立体から出射した前記第１光の提供を受け第１画像を表示する第１液晶表示パネルと、
前記バックライト組立体の他側に配置され、前記バックライト組立体から出射した前記第２光の提供を受け第２画像を表示する第２液晶表示パネルと、
前記第１液晶表示パネルと第２液晶表示パネルとを収納し、底板を有する収納容器と、
前記収納容器の一側に配置され、前記第１液晶表示パネルを支持するモールドフレームと、
を含み、
前記モールドフレームは前記バックライト組立体と前記第１液晶表示パネルとの間の間隔を変化させることができることを特徴とする液晶表示装置。
【請求項２８】
前記モールドフレームは、
前記第１液晶表示パネルを支持し、第１厚さを有する支持部と、
前記支持部から延長し前記第１液晶表示パネルを収納する空間を提供する側壁と、
前記支持部上に配置され前記第１液晶表示パネルと結合し、第２厚さを有するテープパネルと、を含むことを特徴とする請求項２７記載の液晶表示装置。
【請求項２９】
前記間隔は、前記第１厚さ及び第２厚さを調節することによって変化させることができることを特徴とする請求項２８記載の液晶表示装置。
【請求項３０】
第１光及び第２光を出射するバックライト組立体と、
前記バックライト組立体の一側に配置され、前記バックライト組立から出射した前記第１光の提供を受け、第１画像を表示する第１液晶表示パネルと、
前記バックライト組立体の他側に配置され、前記バックライト組立体から出射した前記第２光の提供を受け、第２画像を表示する第２液晶表示パネルと、
前記第１液晶表示パネルと第２液晶表示パネルとを収納し、底板を有する収納容器と、
を含み
前記収納容器は前記バックライト組立体と前記第１液晶表示パネルとの間の間隔を変化させることができることを特徴とする液晶表示装置。
【請求項３１】
前記収納容器は、前記第１液晶表示パネルと結合するテープパネルをさらに含むことを特徴とする請求項３０記載の液晶表示装置。